(57)【要約】【課題】下側ユニット及び上側ユニットを備える画像読取装置において、上側ユニット内部に配線される画像データ伝送用のケーブルにかかるストレスを軽減すること。【解決手段】複合機１において、第二ＦＦＣ５２は、第二イメージセンサ１２側の端部から連続する部分が、カバー部７の後方へと延び、カバー部７の後端に達したところで、カバー部７の後端に沿って右方へと延びている。そして、第一ＦＦＣ５１の後方へと延びる部分に重なる位置に達したところで、カバー部７の後方へと延びている。さらに、この後方へと延びた部分から連続する部分は、カバー部７の上下動を許容する形態に湾曲してから正面側へと延びて、メインユニット２の内部へと導入されている。そして、メインユニット２の内部へと導入された部分から連続する部分が、制御基板４７へと至り、制御基板４７に接続されている。【選択図】図１
2011211595.tif 000002
【特許請求の範囲】
【請求項１】
下側ユニットと、前記下側ユニットの上側に配設された上側ユニットとを備え、前記上側ユニットは、ヒンジ部を介して前記下側ユニットに対して回動可能に連結されることにより、前記上側ユニットの後部を中心に前記上側ユニットの前部が上下動する方向へ開閉可能な構造になっていて、
前記上側ユニットは、原稿台に載置された原稿を所定の搬送経路に沿って搬送する原稿搬送手段と、前記原稿搬送手段によって搬送される原稿から画像を読み取り可能な読取手段と、前記原稿搬送手段及び前記読取手段を収容する外装部材とを備え、
前記下側ユニットは、前記読取手段から伝送されてくるデータに基づいて各種処理を実行する制御手段を備え、
前記原稿搬送手段は、前記搬送経路を構成するローラ群と、前記ローラ群を駆動する駆動手段と、前記ローラ群及び前記駆動手段を支持するフレームとを備えており、
前記読取手段と前記制御手段は、フラットケーブルを介して接続されていて、
前記フラットケーブルは、前記読取手段側から前記フレームの下方へと延びて、前記フレームの下側を通り、さらに前記上側ユニットの後部へと延びて前記外装部材の後部に達し、さらに前記外装部材の後部内側に沿って前後方向と直交する左右方向へと延びることで、前記外装部材に形成されている前記下側ユニット側への導出口に到達する配線経路に沿って配線されている
ことを特徴とする画像読取装置。
【請求項２】
前記フラットケーブルにおいて、前記外装部材の後部内側に沿って左右方向へと延びる部分は、厚さ方向が前後方向に向けられた状態で配線されている
ことを特徴とする請求項１に記載の画像読取装置。
【請求項３】
一対の前記ヒンジ部が、左右方向に離間した位置に配設されており、
前記フラットケーブルにおいて、前記外装部材の後部内側に沿って左右方向へと延びる部分は、一対の前記ヒンジ部の間となる領域に配線されている
ことを特徴とする請求項１又は請求項２に記載の画像読取装置。
【請求項４】
前記下側ユニットには、前記読取手段とは別の第一イメージセンサが設けられるとともに、前記上側ユニットには、前記読取手段である第二イメージセンサが設けられていて、前記原稿搬送手段によって搬送される原稿の両面のうち、一方の面からは前記第一イメージセンサで画像を読み取り可能、他方の面からは前記第二イメージセンサで画像を読み取り可能に構成されおり、
前記第一イメージセンサは、前記フラットケーブルとは別の第一フレキシブルフラットケーブルを介して前記制御手段と接続されるとともに、前記第二イメージセンサは、前記フラットケーブルである第二フレキシブルフラットケーブルを介して前記制御手段と接続されていて、それら二つのフレキシブルフラットケーブルが、各イメージセンサから前記制御手段へと至る途中で、並走する配線経路に配線されている
ことを特徴とする請求項１〜請求項３のいずれか一項に記載の画像読取装置。
【請求項５】
前記二つのフレキシブルフラットケーブルは、当該二つのフレキシブルフラットケーブルが並走する配線経路において、厚さ方向が上下方向に向けられた状態で上下方向に重なる位置に配線されている
ことを特徴とする請求項４に記載の画像読取装置。
【請求項６】
前記二つのフレキシブルフラットケーブルが並走する配線経路には、前記二つのフレキシブルフラットケーブルが接触するのを防止する接触防止部材が設けられている
ことを特徴とする請求項４又は請求項５に記載の画像読取装置。
【請求項７】
前記原稿搬送手段は、ワイヤハーネスを介して前記制御手段と接続されていて、
前記ワイヤハーネスと前記フラットケーブルは、間隔を空けて立体交差する位置に配線されるとともに、当該立体交差する配線経路には、前記ワイヤハーネスと前記フラットケーブルとを離隔させる離隔部材が設けられている
ことを特徴とする請求項１〜請求項６のいずれか一項に記載の画像読取装置。
【請求項８】
前記フラットケーブルにおいて、前記外装部材の後部内側に沿って左右方向へと延びる部分には、前記フラットケーブルの上流側から伝達される信号を増幅して前記フラットケーブルの下流側へと伝達する中継器が介装されている
ことを特徴とする請求項１〜請求項７のいずれか一項に記載の画像読取装置。
【発明の詳細な説明】
【技術分野】
【０００１】
本発明は、画像読取装置に関する。
【背景技術】
【０００２】
従来、下側ユニットと、下側ユニットの上方に配設された上側ユニットとを備え、上側ユニットが下側ユニットに対して開閉可能な構造になっている画像読取装置が知られている（例えば、特許文献１参照。）。
【０００３】
また、上記特許文献１に記載の画像形成装置では、上側ユニット及び下側ユニットの双方にイメージセンサを備え、自動原稿送り装置（Automatic Document Feeder；以下、ＡＤＦと称する。）で原稿を搬送し、原稿の表裏両面から画像を読み取ることができる。
【０００４】
上側ユニット側のイメージセンサで画像を読み取った場合、その画像データは両ユニット間を跨ぐケーブルを介して上側ユニットから下側ユニットに送信されることとなる（特許文献１：段落［００１０］参照。）。そのため、上記特許文献１に記載の画像形成装置には、両ユニット間を跨ぐケーブル（１８）が装置の背面側に配設されている（特許文献１：図２，図３等参照。）。
【先行技術文献】
【特許文献】
【０００５】
【特許文献１】特開２００２−１９９１５６号公報
【発明の概要】
【発明が解決しようとする課題】
【０００６】
しかしながら、上記特許文献１に記載の画像読取装置の場合、装置の外部に配設されたケーブル（１８）は図示されているものの、上側ユニット内においてケーブルがどのような配線経路に通されているのかは定かではない。
【０００７】
上記のような上側ユニット内には、上述のような画像データ伝送用ケーブルの他、ＡＤＦ駆動用モータに駆動電力を供給するワイヤハーネス、ＡＤＦが備えるローラ群その他の可動部品、これら可動部品を支持するフレームなども配設されている。
【０００８】
そのため、そのようなローラ群の隙間を縫うように画像データ伝送用のケーブルが配線されていると、ケーブルに捻れや折り曲げが生じやすく、これにより、ケーブルに余計なストレスがかかりやすくなるおそれがあった。
【０００９】
また、上部ユニットは開閉可能な構造になっているため、上側ユニット内において回動中心から大きく離れた位置において長距離にわたってケーブルが配線されていると、その部分が上部ユニットの開閉に伴って大きく変位することになる。
【００１０】
そのため、このような構造になっていると、大きく変位する部分でケーブルに無用な外力が作用したり、ケーブルを無駄に振動させたりするおそれがあり、これもケーブルに余計なストレスがかかる要因になるおそれがあった。
【００１１】
本発明は、上記問題を解決するためになされたものであり、その目的は、下側ユニット及び上側ユニットを備える画像読取装置において、上側ユニット内部に配線される画像データ伝送用のケーブルにかかるストレスを軽減することにある。
【課題を解決するための手段】
【００１２】
以下、本発明において採用した構成について説明する。
請求項１に記載の画像読取装置は、下側ユニットと、前記下側ユニットの上側に配設された上側ユニットとを備え、前記上側ユニットは、ヒンジ部を介して前記下側ユニットに対して回動可能に連結されることにより、前記上側ユニットの後部を中心に前記上側ユニットの前部が上下動する方向へ開閉可能な構造になっていて、前記上側ユニットは、原稿台に載置された原稿を所定の搬送経路に沿って搬送する原稿搬送手段と、前記原稿搬送手段によって搬送される原稿から画像を読み取り可能な読取手段と、前記原稿搬送手段及び前記読取手段を収容する外装部材とを備え、前記下側ユニットは、前記読取手段から伝送されてくるデータに基づいて各種処理を実行する制御手段を備え、前記原稿搬送手段は、前記搬送経路を構成するローラ群と、前記ローラ群を駆動する駆動手段と、前記ローラ群及び前記駆動手段を支持するフレームとを備えており、前記読取手段と前記制御手段は、フラットケーブルを介して接続されていて、前記フラットケーブルは、前記読取手段側から前記フレームの下方へと延びて、前記フレームの下側を通り、さらに前記上側ユニットの後部へと延びて前記外装部材の後部に達し、さらに前記外装部材の後部内側に沿って前後方向と直交する左右方向へと延びることで、前記外装部材に形成されている前記下側ユニット側への導出口に到達する配線経路に沿って配線されていることを特徴とする。
【００１３】
このように構成された画像読取装置によれば、フラットケーブルは、読取手段側から延びる部分が、フレームの下方を通って上側ユニットの後部へと延びて外装部材の後部に達している。そのため、原稿搬送手段が備えるローラ群や駆動手段の隙間を縫うようにケーブルが配線されるものとは異なり、フラットケーブルに捻れや折り曲げが生じるのを防ぐことができ、フラットケーブルにかかるストレスを軽減することができる。
【００１４】
また、フラットケーブルは、外装部材の後部に達したところで、外装部材の後部内側に沿って前後方向に直交する左右方向へと延びることで、外装部材に形成されている下側ユニット側への導出口に到達するように配線されている。したがって、この部分においてもフラットケーブルを直線的に配線できるので、フラットケーブルに捻れや折り曲げが生じるのを防ぐことができ、フラットケーブルにかかるストレスを軽減することができる。
【００１５】
さらに、外装部材の後部内側に沿って左右方向へと延びる部分は、上側ユニットの回動中心に比較的近い位置になるので、上側ユニットの前部にフラットケーブルが配線される場合に比べ、上側ユニットの開閉動作に伴うフラットケーブルの変位量を小さくできる。したがって、フラットケーブルがより大きく変位する場合に比べ、フラットケーブルに作用する無用な外力や振動を低減することができ、フラットケーブルにかかるストレスを軽減することができる。
【００１６】
請求項２に記載の画像読取装置は、請求項１に記載の画像読取装置であって、前記フラットケーブルにおいて、前記外装部材の後部内側に沿って左右方向へと延びる部分は、厚さ方向が前後方向に向けられた状態で配線されていることを特徴とする。
【００１７】
このように構成された画像読取装置によれば、フラットケーブルの厚さ方向が上下方向に向けられている場合に比べ、装置を平面視したときにフラットケーブルに占有される面積を低減できるので、装置の設置面積を抑制する際に効果的である。
【００１８】
請求項３に記載の画像読取装置は、請求項１又は請求項２に記載の画像読取装置において、一対の前記ヒンジ部が、左右方向に離間した位置に配設されており、前記フラットケーブルにおいて、前記外装部材の後部内側に沿って左右方向へと延びる部分は、一対の前記ヒンジ部の間となる領域に配線されていることを特徴とする。
【００１９】
このように構成された画像読取装置によれば、フラットケーブルにおいて、外装部材の後部内側に沿って左右方向へと延びる部分を配線する際、ヒンジ部が配線を妨げる障害物にならない。そのため、ヒンジ部を跨いでヒンジ部の両側にフラットケーブルが配線される場合に比べ、フラットケーブルの配線経路を直線的にできる。また、ヒンジ部を前後方向に迂回するような配線経路が不要なので、その分だけ装置の前後方向寸法をコンパクトにすることができる。
【００２０】
請求項４に記載の画像読取装置は、請求項１〜請求項３のいずれか一項に記載の画像読取装置において、前記下側ユニットには、前記読取手段とは別の第一イメージセンサが設けられるとともに、前記上側ユニットには、前記読取手段である第二イメージセンサが設けられていて、前記原稿搬送手段によって搬送される原稿の両面のうち、一方の面からは前記第一イメージセンサで画像を読み取り可能、他方の面からは前記第二イメージセンサで画像を読み取り可能に構成されおり、前記第一イメージセンサは、前記フラットケーブルとは別の第一フレキシブルフラットケーブルを介して前記制御手段と接続されるとともに、前記第二イメージセンサは、前記フラットケーブルである第二フレキシブルフラットケーブルを介して前記制御手段と接続されていて、それら二つのフレキシブルフラットケーブルが、各イメージセンサから前記制御手段へと至る途中で、並走する配線経路に配線されていることを特徴とする。
【００２１】
このように構成された画像読取装置によれば、二つのフレキシブルフラットケーブルが、各イメージセンサから制御手段へと至る途中で、並走する配線経路に配線されるので、それぞれが別々の配線経路を経て制御手段へと至る場合に比べ、配線用のスペースをコンパクトにすることができ、装置全体をコンパクトにすることができる。
【００２２】
請求項５に記載の画像読取装置は、請求項４に記載の画像読取装置において、前記二つのフレキシブルフラットケーブルは、当該二つのフレキシブルフラットケーブルが並走する配線経路において、厚さ方向が上下方向に向けられた状態で上下方向に重なる位置に配線されていることを特徴とする。
【００２３】
このように構成された画像読取装置によれば、二つのフレキシブルフラットケーブルが並走する部分に関し、厚さ方向が上下方向に向けられている。したがって、各ケーブルの厚さ方向が上下方向以外（左右方向又は前後方向）に向けられている場合に比べ、上下方向寸法の狭い配線経路に通すことができ、その分だけ画像読取装置の上下方向寸法も抑制できる。
【００２４】
しかも、二つのフレキシブルフラットケーブルが並走する部分に関し、各ケーブルは、上下方向に重なる位置に配線されている。そのため、平面視したときにフレキシブルフラットケーブルに占有される面積は、単一のフレキシブルフラットケーブルを配線した場合と同等である。したがって、各ケーブルが平面視したときに重ならない位置を並走している場合に比べ、装置の設置面積を抑制する際に効果的である。
【００２５】
請求項６に記載の画像読取装置は、請求項４又は請求項５に記載の画像読取装置において、前記二つのフレキシブルフラットケーブルが並走する配線経路には、前記二つのフレキシブルフラットケーブルが接触するのを防止する接触防止部材が設けられていることを特徴とする。
【００２６】
このように構成された画像読取装置によれば、二つのフレキシブルフラットケーブルは互いに接触しないので、二つのフレキシブルフラットケーブルが接触する状態で並走している場合に比べ、一方の信号電流が他方のノイズ源となりにくい。したがって、制御手段への入力信号について、その品質が向上し、ひいては各イメージセンサで読み取った画像の品質向上に寄与する。
【００２７】
請求項７に記載の画像読取装置は、請求項１〜請求項６のいずれか一項に記載の画像読取装置において、前記原稿搬送手段は、ワイヤハーネスを介して前記制御手段と接続されていて、前記ワイヤハーネスと前記フラットケーブルは、間隔を空けて立体交差する位置に配線されるとともに、当該立体交差する配線経路には、前記ワイヤハーネスと前記フラットケーブルとを離隔させる離隔部材が設けられていることを特徴とする。
【００２８】
このように構成された画像読取装置によれば、ワイヤハーネスとフラットケーブルは立体交差する位置関係にあって互いに接触しないので、ワイヤハーネスとフラットケーブルが並走している場合や接触している場合に比べ、一方の信号電流や駆動電流が他方のノイズ源となりにくい。したがって、制御手段への入力信号について、その品質が向上し、ひいては読取手段で読み取った画像の品質向上に寄与する。
【００２９】
請求項８に記載の画像読取装置は、請求項１〜請求項７のいずれか一項に記載の画像読取装置であって、前記フラットケーブルにおいて、前記外装部材の後部内側に沿って左右方向へと延びる部分には、前記フラットケーブルの上流側から伝達される信号を増幅して前記フラットケーブルの下流側へと伝達する中継器が介装されていることを特徴とする。
【００３０】
このように構成された画像読取装置によれば、フラットケーブルが長くて信号が減衰しやすい場合でも、中継器で信号を増幅することができるので、中継器を備えていない場合に比べ、信号を安定させることができ、読取手段で読み取った画像の品質向上を図ることができる。
【図面の簡単な説明】
【００３１】
【図１】画像読取装置を備えた複合機を示す図であり、（ａ）は複合機の平面図、（ｂ）は複合機の正面図、（ｃ）は複合機の左側面図。
【図２】スキャナユニットの縦断面図。
【図３】第二イメージセンサに接続された第二ＦＦＣとＡＤＦ駆動用モータに接続されたワイヤハーネスの配線状態を示す部分縦断面図。
【図４】カバー部後端側の配線経路における第二ＦＦＣの配線状態を示す斜視図。
【図５】スキャナユニット側からメインユニット側に至る配線経路における第一ＦＦＣ及び第二ＦＦＣの配線状態を示す部分縦断面図。
【図６】カバー部を上下動可能な状態で支持する支柱を示す図であり、（ａ）は支柱からの荷重を支柱の左側、右側、及び後側で支える例を示す横断面図、（ｂ）は支柱からの荷重を支柱の後側で支える例を示す横断面図。
【発明を実施するための形態】
【００３２】
次に、本発明の実施形態について一例を挙げて説明する。
［複合機の構造］
図１（ａ）〜同図（ｃ）に示す複合機１は、画像読取装置としての機能（スキャン機能）に加え、その他の機能（例えば、プリント機能、コピー機能、ファクシミリ送受信機能など）を兼ね備えたものである。なお、以下の説明においては、複合機１が備える各部の相対的な位置関係をわかりやすく説明するため、図中に併記した上下左右前後の各方向を利用する。また、図１（ａ）〜同図（ｃ）には、複合機１の外観に加えて、複合機１が内蔵する構成の一部も併記してある。
【００３３】
この複合機１は、メインユニット２と、メインユニット２の上部に搭載されたスキャナユニット３を備えている。スキャナユニット３は、後端側を回動中心にして前端側を上下方向へと回動させることにより、メインユニット２に対して開閉可能な構造になっている。この開閉機構を利用して、スキャナユニット３を図１（ａ）〜同図（ｃ）に示した閉位置から図示しない開位置へと移動させれば、利用者はメインユニット２の内部に組み込まれた内部機構のメンテナンス等を実施できる。
【００３４】
スキャナユニット３は、原稿が載置される載置部５と、この載置部５の上面側を覆うカバー部７とを備えている。
カバー部７は、後端側を回動中心にして前端側を上下方向へと回動させることにより、載置部５に対して開閉可能な構造になっている。この開閉機構を利用して、カバー部７を図１（ａ）〜同図（ｃ）に示した閉位置から図示しない開位置へと移動させれば、原稿を載置部５に搭載することができる状態となる。
【００３５】
また、カバー部７は、上記のような回動可能な構造とは別に、載置部５に対して上下方向へ変位可能な構造にもなっている。これにより、カバー部７を上方へと持ち上げれば、比較的厚みのある原稿であっても、載置部５とカバー部７との間に原稿を挟み込むことができるようになっている。
【００３６】
なお、本実施形態においては、上記メインユニット２及び載置部５からなる部分が、本発明でいう下側ユニットの一例に相当し、上記カバー部７が、本発明でいう上側ユニットの一例に相当する。
【００３７】
［スキャナユニットの詳細］
次に、スキャナユニット３について、図２に基づいて、さらに詳細に説明する。このスキャナユニット３は、フラットベッド（以下、ＦＢと略称する。）スキャナに対してＡＤＦを付加した構造になっている。
【００３８】
スキャナユニット３は、第一イメージセンサ１１及び第二イメージセンサ１２（本発明でいう読取手段の一例に相当。）を備えている。本実施形態において、第一イメージセンサ１１及び第二イメージセンサ１２は、双方とも密着イメージセンサ（Contact Image Sensor）が利用されている。
【００３９】
スキャナユニット３において、第一イメージセンサ１１は、載置部５に設けられたキャリッジ１５に搭載され、キャリッジ１５とともに左右方向へ往復移動可能に構成されている。また、第一イメージセンサ１１の移動経路上方には、ＦＢガラス１７が配設されている。
【００４０】
スキャナユニット３がＦＢスキャナとして利用される場合、原稿はＦＢガラス１７上に載置される。そして、第一イメージセンサ１１は、複合機１の前後方向を主走査方向、左右方向を副走査方向として、副走査方向へ移動しながら、主走査方向に並ぶ複数の画素を繰り返し読み取ることで、原稿から画像を読み取り可能となっている。
【００４１】
また、第一イメージセンサ１１の移動経路上方で、ＦＢガラス１７の左方には、第一ＡＤＦガラス２１が配設され、第二イメージセンサ１２の上方には、第二ＡＤＦガラス２２が配設されている。そして、第一ＡＤＦガラス２１の上方には、第一押さえ部材２３が配設され、第二ＡＤＦガラス２２の上方には、第二押さえ部材２４が配設されている。
【００４２】
さらに、スキャナユニット３は、動力源から伝達される動力で駆動されるローラとして、供給ローラ３１、分離ローラ３２、中継搬送ローラ３３、メイン搬送ローラ３４、及び排出ローラ３５を備えている。また、これらのローラ３１〜３５と協働して原稿をニップしつつ、駆動されるローラ又は搬送される原稿に追従して回転するローラとして、第一ニップローラ３６、第二ニップローラ３７、第三ニップローラ３８、第四ニップローラ３９を備えている。
【００４３】
スキャナユニット３がＡＤＦスキャナとして利用される場合、上述のローラ群が駆動される。その際、原稿台４１に載せられた原稿は、図２に破線で示した搬送経路に沿って搬送される。具体的には、原稿台４１に載せられた原稿は、供給ローラ３１によって搬送方向下流側へと送り出され、その原稿が分離ローラ３２によって一枚ずつに分離される。
【００４４】
また、分離ローラ３２によって一枚ずつに分離された原稿は、中継搬送ローラ３３によってメイン搬送ローラ３４へと送り出され、その原稿がメイン搬送ローラ３４の外周沿いにＵターンさせられる。そして、メイン搬送ローラ３４によって送り出される原稿が、さらに排出ローラ３５によって搬送方向下流側へと送られて、その原稿が排出トレイ４３へと排出される。
【００４５】
また、スキャナユニット３がＡＤＦスキャナとして利用される場合、第一イメージセンサ１１は、左右方向について第一押さえ部材２３の直下となる位置へ移動し、その位置で静止する。なお、第二イメージセンサ１２は、左右方向について第二押さえ部材２４の直下となる位置に配設されており、その位置から左右方向へは移動しない構造になっている。
【００４６】
上述のローラ群によって搬送される原稿は、中継搬送ローラ３３によって送り出された後、メイン搬送ローラ３４に到達するまでに、第二ＡＤＦガラス２２と第二押さえ部材２４との間を通過する。その際、第二イメージセンサ１２は、複合機１の前後方向を主走査方向、搬送方向を副走査方向として、副走査方向へ移動する原稿から、主走査方向に並ぶ複数の画素を繰り返し読み取ることで、原稿の裏面側から画像を読み取る。
【００４７】
また、上記原稿は、メイン搬送ローラ３４によって送り出された後、排出ローラ３５に到達するまでに、第一ＡＤＦガラス２１と第一押さえ部材２３との間を通過する。その際、第一イメージセンサ１１は、複合機１の前後方向を主走査方向、搬送方向を副走査方向として、副走査方向へ移動する原稿から、主走査方向に並ぶ複数の画素を繰り返し読み取ることで、原稿の表面側から画像を読み取る。
【００４８】
［複合機１が備えるケーブル及びハーネスの配線経路］
次に、複合機１が備えるハーネス及びケーブルの配線経路について説明する。
この複合機１には、すでに説明した構成に加え、図１（ａ）〜同図（ｃ）に併記した通り、ＡＤＦ駆動用モータ４５、制御基板４７（本発明でいう制御手段の一例に相当。）などが内蔵されている。
【００４９】
そして、制御基板４７と第一イメージセンサ１１は、第一フレキシブルフラットケーブル５１（以下、第一ＦＦＣ５１と称する。）を介して接続されている。また、制御基板４７と第二イメージセンサ１２は、第二フレキシブルフラットケーブル５２（以下、第二ＦＦＣ５２と称する。）を介して接続されている。さらに、制御基板４７とＡＤＦ駆動用モータ４５は、ワイヤハーネス５３を介して接続されている。
【００５０】
第一ＦＦＣ５１は、図１（ａ）〜同図（ｃ）に概略の配線経路を示した通り、第一イメージセンサ１１側の後側端部から連続する部分が、載置部５の内部において左右方向に延在する状態にある。この左右方向に延在する部分は、第一イメージセンサ１１の移動時には、移動に追従して変形する。
【００５１】
また、第一ＦＦＣ５１において、上記左右方向に延在する部分の右端側から連続する部分は、いくらか背面側へと延びた後、下方へと延び、さらに正面側へとＵターンしてメインユニット２の内部へと導入されている。そして、メインユニット２の内部へと導入された部分から連続する部分が、制御基板４７へと至り、制御基板４７に接続されている。
【００５２】
第二ＦＦＣ５２は、図１（ａ）〜同図（ｃ）に概略の配線経路を示した通り、第二イメージセンサ１２側の後側端部から連続する部分が、カバー部７の後方へと延び、カバー部７の後端に達したところで、カバー部７の後側内壁面に沿って右方へと延びている。そして、図１（ａ）上では図示の都合上いくらかずれた位置に図示してあるが、第一ＦＦＣ５１の後方へと延びる部分に重なる位置に達したところで、カバー部７の後方へと延びている。
【００５３】
また、第二ＦＦＣ５２において、上記後方へと延びた部分から連続する部分は、カバー部７の上下動を許容する形態（詳細は後述）に湾曲してから正面側へと延びて、メインユニット２の内部へと導入されている。そして、メインユニット２の内部へと導入された部分から連続する部分が、制御基板４７へと至り、制御基板４７に接続されている。
【００５４】
ワイヤハーネス５３は、ＡＤＦ駆動用モータ４５側の端部から連続する部分が、カバー部７の左方へと延びてから、後方へと延び、さらに下方へと延びてから、正面側へとＵターンしてメインユニット２の内部へと導入されている。すなわち、カバー部７の後方において、ワイヤハーネス５３は、第一ＦＦＣ５１、第二ＦＦＣ５２とは反対方向に延びている。また、このワイヤハーネス５３がメインユニット２の内部へと導入される箇所は、第一ＦＦＣ５１や第二ＦＦＣ５２がメインユニット２の内部へと導入される箇所から十分に離れた位置にある。
【００５５】
そして、ワイヤハーネス５３において、上記メインユニット２の内部へと導入された部分から連続する部分が、制御基板４７へと至り、制御基板４７に接続されている。
次に、上述した配線経路の細部について、さらに詳細に説明する。図３は、第二ＦＦＣ５２とワイヤハーネス５３が立体交差している箇所を、左方から見た概略の構造を示す部分縦断面図である。
【００５６】
カバー部７には、図３に示すように、上述したローラ群（供給ローラ３１、分離ローラ３２、中継搬送ローラ３３、メイン搬送ローラ３４、及び排出ローラ３５等）を駆動する駆動機構５４が組み込まれている。
【００５７】
この駆動機構５４には、各種可動部品群を支持するフレーム５４Ａが設けられていて、第二ＦＦＣ５２は、第二イメージセンサ１２側から連続する部分が、フレーム５４Ａの下方へと延びている。そして、フレーム５４Ａの下側を通った部分が、さらにカバー部７の後部へと延びて、ワイヤハーネス５３の下方を通過する部分５２Ａが、その上方にあるワイヤハーネス５３の一部５３Ａと間隔を空けて立体交差する位置関係で配線されている。
【００５８】
この間隔を空けて立体交差する箇所において、ワイヤハーネス５３の下方を通過する部分５２Ａと、その上方にあるワイヤハーネス５３の一部５３Ａとの間には、隔壁５５（本発明でいう離隔部材の一例に相当。）が設けられている。この隔壁５５は、近傍にある樹脂製筐体の一部として一体成形された部分であり、このような隔壁５５を設けておけば、仮にワイヤハーネス５３が弛むようなことがあったとしても、第二ＦＦＣ５２とワイヤハーネス５３の接触を防ぐことができる。
【００５９】
また、ワイヤハーネス５３の一部５３Ａから連続する部分５３Ｂ（図３中に二点鎖線で示した部分）は、下方へと延びてメインユニット２側へと導入されるが、この部分５３Ｂは第二ＦＦＣ５２よりも左方（図３中で紙面の手前側）の間隔を空けた位置において下方へと延びている。
【００６０】
したがって、このような配線状態になっていれば、第二ＦＦＣ５２とワイヤハーネス５３は、互いに並走することなく、且つ、接触することもない状態で、カバー部７内の配線経路に保持されることになる。よって、ワイヤハーネス５３から放射される電気的なノイズが第二ＦＦＣ５２に悪影響を及ぼしにくくなり、第二イメージセンサ１２で読み取った画像の品質向上に寄与することとなる。
【００６１】
さて、第二ＦＦＣ５２において、ワイヤハーネス５３の下方を通過する部分５２Ａから連続してさらに後方へと延びる部分は、カバー部７が備える外装部材５７の後部壁５７Ａに達している。この部分５２Ｂにおいて、第二ＦＦＣ５２は、右方（図３中で紙面の奥側）へと曲げられる。
【００６２】
そして、図４に示すように、さらに外装部材５７の後部壁５７Ｂの内側に沿って前後方向と直交する左右方向へと延びることで、カバー部７の左右方向略中央付近で、中継基板５９（本発明でいう中継器の一例に相当。）に到達する。
【００６３】
この中継基板５９は、第二ＦＦＣ５２の途中に介装されたものであり、第二ＦＦＣ５２の上流側から伝達される信号を増幅して第二ＦＦＣ５２の下流側へと伝達する役割を果たしている。このような中継基板５９が介装されていれば、第二ＦＦＣ５２が長くて信号が減衰しやすい場合でも、中継基板５９で信号を増幅することができる。したがって、中継基板５９を備えていない場合に比べ、信号を安定させることができ、第二イメージセンサ１２で読み取った画像の品質向上を図ることができる。
【００６４】
また、上記中継基板５９よりも左方側の位置において、第二ＦＦＣ５２の外側には、第二ＦＦＣ５２にノイズ電流が流れるのを抑制するため、フラットコア６１が装着されている。そして、第二ＦＦＣ５２において、中継基板５９からさらに外装部材５７の後部壁５７Ｃの内側に沿って右方へと延びる部分は、ＦＦＣホルダ６３の前方に到達した部分５２Ｃにおいて後方へ曲げられて、ＦＦＣホルダ６３の内部へと導入されている。
【００６５】
ＦＦＣホルダ６３は、図５に示すように、載置部５に形成された縦穴であるホルダ受け部６５に上方から挿し込まれており、カバー部７が載置部５に対して上下動する際には、ＦＦＣホルダ６３がカバー部７に追従してホルダ受け部６５内を上下動する。また、ＦＦＣホルダ６３は、カバー部７に対して回動可能な状態でカバー部７に連結されており、カバー部７が載置部５に対して回動する際には、ＦＦＣホルダ６３が載置部５との相対的な位置関係を維持し、カバー部７はＦＦＣホルダ６３に対しても回動することになる。
【００６６】
このようなＦＦＣホルダ６３に対し、第二ＦＦＣ５２は、ＦＦＣホルダ６３の前方に到達した部分５２Ｃにおいて後方へ曲げられた部分が、さらに後方へ凸な形態に湾曲させられて、その部分５２Ｄから連続する部分が、ＦＦＣホルダ６３の内部へと導入されている。
【００６７】
そして、ＦＦＣホルダ６３の内部では、ＦＦＣホルダ６３に形成された固定部６３Ａに対し、第二ＦＦＣ５２の一部５２Ｅが固定されている。そして、その固定箇所から連続する部分が上に凸な形態に湾曲させられて、その部分５２Ｆから連続する部分５２Ｇが下方へと延びてＦＦＣホルダ６３の外部へと導出されている。
【００６８】
以上のような形態で第二ＦＦＣ５２を配線することにより、カバー部７が載置部５に対して回動した際には、主に上側の湾曲した部分５２Ｄが、カバー部７に追従して変形する。また、カバー部７が載置部５に対して上下動した際には、主に下側の湾曲した部分５２Ｆが、カバー部７に連動して変形する。
【００６９】
したがって、このような配線により、カバー部７の動きを第二ＦＦＣ５２が妨げず、且つ、カバー部７が動いても第二ＦＦＣ５２に過大なストレスがかからないようにすることができる。
【００７０】
さて、第二ＦＦＣ５２において、ＦＦＣホルダ６３の外部へと導出された部分５２Ｇは、載置部５に形成された通路６７を経由して、載置部５の外部へと導出されるとともに、メインユニット２の内部へと導入され、メインユニット２内をさらに前方へと延びる。
【００７１】
一方、第一ＦＦＣ５１は、通路６９から導出されて下方へと延びる部分５１Ｇが、さらに、載置部５の外部へと導出されるとともに、メインユニット２の内部へと導入され、メインユニット２内をさらに前方へと延びる。
【００７２】
そして、これら第一ＦＦＣ５１及び第二ＦＦＣ５２は、載置部５から導出される部分５１Ｇ，５２Ｇから、メインユニット２の内部で前方へと延びた部分５１Ｈ，５２Ｈにわたって、両ＦＦＣが上下方向に重なる位置を並走する状態になっている。
【００７３】
ただし、この並走区間の大部分には、第一ＦＦＣ５１及び第二ＦＦＣ５２が互いに接触するのを防止するＦＦＣスペーサ７１（本発明でいう接触防止部材の一例に相当。）が設けられている。本実施形態において、ＦＦＣスペーサ７１は、近傍にある樹脂製筐体の一部として一体成形された厚さ１ｍｍの板状のものである。このようなＦＦＣスペーサ７１が配設されていれば、第一ＦＦＣ５１及び第二ＦＦＣ５２が過剰に接近したり接触したりすることがないので、一方の信号電流が他方のノイズ源となりにく、制御基板４７への入力信号の品質が向上する。
【００７４】
ところで、上述のカバー部７の後端側には、一対の支柱７５Ｌ，７５Ｒが設けられ、これらの支柱７５Ｌ，７５Ｒが、載置部５に形成された縦穴である支柱受け部７９Ｌ，７９Ｒ（図６参照）に上方から挿し込まれている。また、これらの支柱７５Ｌ，７５Ｒの上端部分にはヒンジ部７７Ｌ，７７Ｒが設けられており、カバー部７は、ヒンジ部７７Ｌ，７７Ｒを回動中心として、支柱７５Ｌ，７５Ｒないし載置部５に対して回動可能な構造になっている。
【００７５】
このような構造とすることにより、カバー部７が載置部５に対して上下動する際には、支柱７５Ｌ，７５Ｒが、カバー部７に追従して支柱受け部７９Ｌ，７９Ｒ内を上下動する。また、カバー部７が載置部５に対して回動する際には、支柱７５Ｌ，７５Ｒが載置部５との相対的な位置関係を維持し、カバー部７は支柱７５Ｌ，７５Ｒに対しても回動することになる。
【００７６】
ただし、カバー部７が大きく開かれて、カバー部７の重心が後方寄りの位置へと移動すると、この支柱７５Ｌ，７５Ｒには、支柱７５Ｌ，７５Ｒを後方へ倒そうとする荷重がかかり、この荷重が支柱７５Ｌ，７５Ｒから支柱受け部７９Ｌ，７９Ｒに作用することになる。
【００７７】
そこで、上記のような荷重が支柱受け部７９Ｌ，７９Ｒの特定箇所に過剰に集中するのを避けるため、図６（ａ）に示すように、支柱７５Ｌ，７５Ｒの周囲四方のうち、左側、右側、後側の三方に、支柱受け部７９Ｌ，７９Ｒ側との接触点Ｐ１〜Ｐ６を設けた。
【００７８】
これにより、支柱７５Ｌ，７５Ｒを後方へ倒そうとする荷重がかかった場合に、支柱受け部７９Ｌ，７９Ｒに作用する力は、多箇所に分散することになり、荷重が集中した特定箇所が破損する、といったトラブルを未然に防止することができる。
【００７９】
より具体的な例を挙げれば、支柱７５Ｌ，７５Ｒが同形状でも、図６（ｂ）に示すように、支柱７５Ｌ，７５Ｒの周囲四方のうち、後側だけに支柱受け部７９Ｌ，７９Ｒ側との接触点Ｐ１，Ｐ２が設けてあると、この接触点Ｐ１，Ｐ２に荷重が集中する。そのため、この部分の破損を防ぐには、接触点Ｐ１，Ｐ２付近で支柱受け部７９Ｌ，７９Ｒにより高い強度が要求されることとなる。
【００８０】
この点、図６（ａ）に示すように、支柱７５Ｌ，７５Ｒの左側や右側にも接触点Ｐ３〜Ｐ６を設けておけば、接触点Ｐ１，Ｐ２付近に過大な強度が要求されなくなるのである。よって、支柱受け部７９Ｌ，７９Ｒの設計をする上で自由度が高くなり、接触点Ｐ１，Ｐ２付近の強度が多少低い設計を行っても、予期しない損傷を防止しやすくなる。
【００８１】
さらに、上記第二ＦＦＣ５２において、外装部材５７の後部壁５７Ａ〜５７Ｃの内側に沿って左右方向へと延びる部分は、ヒンジ部７７Ｌ，７７Ｒの間となる領域に配線されている。ヒンジ部７７Ｌ，７７Ｒは、その間の領域が十分確保できるように、カバー部７の後端側において、左右方向のできるだけ端部寄りにそれぞれ設けられている。
【００８２】
そのため、第二ＦＦＣ５２を配線する際、ヒンジ部７７Ｌ，７７Ｒが配線を妨げる障害物にならないので、ヒンジ部７７Ｌ，７７Ｒのいずれかを跨いで、その両側にわたる範囲に第二ＦＦＣ５２が配線される場合に比べ、第二ＦＦＣ５２の配線経路を直線的にできる。また、ヒンジ部７７Ｌ，７７Ｒを前後方向に迂回するような配線経路が不要なので、その分だけ装置の前後方向寸法をコンパクトにすることができる。
【００８３】
［効果］
以上説明した通り、上記複合機１によれば、第二ＦＦＣ５２は、第二イメージセンサ１２側から延びる部分が、フレーム５４Ａの下方を通ってカバー部７の後部へと延びて外装部材５７の後部に達している。そのため、ＡＤＦが備えるローラ群（供給ローラ３１、分離ローラ３２、中継搬送ローラ３３、メイン搬送ローラ３４、排出ローラ３５等）や駆動機構５４の隙間を縫うようにケーブルが配線されるものとは異なり、第二ＦＦＣ５２に捻れや折り曲げが生じるのを防ぐことができる。
【００８４】
また、第二ＦＦＣ５２は、外装部材５７の後部に達したところで、外装部材５７の後部内側に沿って左右方向へと延びることで、載置部５側への導出口（本実施形態ではＦＦＣホルダ６３）に到達するように配線されている。したがって、この部分においても第二ＦＦＣ５２を直線的に配線できるので、第二ＦＦＣ５２に捻れや折り曲げが生じるのを防ぐことができる。
【００８５】
さらに、外装部材５７の後部内側に沿って左右方向へと延びる部分は、カバー部７の回動中心に比較的近い位置になるので、カバー部７の前部に第二ＦＦＣ５２が配線される場合に比べ、カバー部７の開閉動作に伴う第二ＦＦＣ５２の変位量を小さくできる。したがって、第二ＦＦＣ５２がより大きく変位する場合に比べ、第二ＦＦＣ５２に作用する無用な外力や振動を低減することができる。
【００８６】
加えて、上記複合機１では、第二ＦＦＣ５２において、外装部材５７の後部壁５７ＡからＦＦＣホルダ６３の前方に達する部分、すなわち、外装部材５７の後部壁５７Ａ〜５７Ｃに沿って左右方向へと延びる部分は、厚さ方向が前後方向に向けられた状態で配線されている。したがって、第二ＦＦＣ５２の厚さ方向が上下方向に向けられている場合に比べ、装置を平面視したときに第二ＦＦＣ５２に占有される面積を低減できるので、装置の設置面積を抑制する上で有効となる。
【００８７】
また、上記複合機１では、第一ＦＦＣ５１及び第二ＦＦＣ５２が、第一イメージセンサ１１又は第二イメージセンサ１２から制御基板４７へと至る途中で、並走する配線経路に配線されるので、それぞれが別々の配線経路を経て制御基板４７へと至る場合に比べ、配線用のスペースをコンパクトにすることができ、装置全体をコンパクトにすることができる。
【００８８】
また、第一ＦＦＣ５１及び第二ＦＦＣ５２は、第一ＦＦＣ５１及び第二ＦＦＣ５２が並走する配線経路において、厚さ方向が上下方向に向けられた状態で上下方向に重なる位置に配線されている。したがって、ＦＦＣの厚さ方向が上下方向以外（左右方向又は前後方向）に向けられている場合に比べ、上下方向寸法の狭い配線経路に通すことができ、その分だけ画像読取装置の上下方向寸法も抑制できる。
【００８９】
しかも、第一ＦＦＣ５１及び第二ＦＦＣ５２が並走する部分に関し、第一ＦＦＣ５１及び第二ＦＦＣ５２は、上下方向に重なる位置に配線されている。そのため、平面視したときに第一ＦＦＣ５１及び第二ＦＦＣ５２に占有される面積は、単一のＦＦＣを配線した場合と同等である。したがって、第一ＦＦＣ５１及び第二ＦＦＣ５２が平面視したときに重ならない位置を並走している場合に比べ、装置の設置面積を抑制する際に効果的である。
【００９０】
［変形例等］
以上、本発明の実施形態について説明したが、本発明は上記の具体的な一実施形態に限定されず、この他にも種々の形態で実施することができる。
【００９１】
例えば、上記実施形態では、隔壁５５やＦＦＣスペーサ７１を樹脂製筐体の一部として一体成形で設ける事例を示したが、他の部材と一体形成したものか、別部品を配置したものかは任意である。
【００９２】
また、上記実施形態においては、スキャナユニット３が、複合機１に組み込まれる事例を示したが、単機能のイメージスキャナ装置として構成されていてもよい。
【符号の説明】
【００９３】
１・・・複合機、２・・・メインユニット、３・・・スキャナユニット、５・・・載置部、７・・・カバー部、１１・・・第一イメージセンサ、１２・・・第二イメージセンサ、１５・・・キャリッジ、１７・・・ＦＢガラス、２１・・・第一ＡＤＦガラス、２２・・・第二ＡＤＦガラス、２３・・・第一押さえ部材、２４・・・第二押さえ部材、３１・・・供給ローラ、３２・・・分離ローラ、３３・・・中継搬送ローラ、３４・・・メイン搬送ローラ、３５・・・排出ローラ、３６・・・第一ニップローラ、３７・・・第二ニップローラ、３８・・・第三ニップローラ、３９・・・第四ニップローラ、４１・・・原稿台、４３・・・排出トレイ、４５・・・ＡＤＦ駆動用モータ、４７・・・制御基板、５１・・・第一フレキシブルフラットケーブル、５２・・・第二フレキシブルフラットケーブル、５３・・・ワイヤハーネス、５４・・・駆動機構、５４Ａ・・・フレーム、５５・・・隔壁、５７・・・外装部材、５９・・・中継基板、６１・・・フラットコア、６３・・・ＦＦＣホルダ、６３Ａ・・・固定部、６５・・・ホルダ受け部、６７，６９・・・通路、７１・・・ＦＦＣスペーサ、７５Ｌ，７５Ｒ・・・支柱、７７Ｌ，７７Ｒ・・・ヒンジ部、７９Ｌ，７９Ｒ・・・支柱受け部。
【図１】
2011211595.tif 000003
【図２】
2011211595.tif 000004
【図３】
2011211595.tif 000005
【図４】
2011211595.tif 000006
【図５】
2011211595.tif 000007
【図６】
2011211595.tif 000008